(57)【要約】【課題】カードの増減設時に完全にカードを誤挿入することがなく、増減設の作業が効率的に行え、かつこのために要する付加装置が簡単であること。【解決手段】シェルフにプラグイン実装される各カード１１，１２，１３の実装位置に対応するそれぞれの位置にランプ２１を設け、カードの増減時に増減設するカードに対応する位置のランプを点灯し実装前にその位置を表示する。即ち、先ず保守端末から増減設するカードを示す増減設オーダ情報１０１を表示制御部３に入力する。ＣＰＵ３５は指定されたカードの組み合わせが正しいか否かを判定し、誤りがあれば誤り応答信号１０２を返す。これにより以降の無駄な作業の発生を防止することができる。また、カードの組み合わせが正しい場合は、各データを参照して自動的に増減設するカードに対応する位置のランプを点灯する制御信号１０３を出力する。このとき同時に挿入カードのＩＤ番号を確認する。【選択図】      図４
2004349967.tif 000002
【特許請求の範囲】
【請求項１】
複数のカードをプラグイン実装するシェルフをラック（架）に複数段積み重ねる構造の電子装置において、
各前記シェルフの上部に設けられ、前記シェルフにプラグイン実装される各前記カードの実装位置に対応するそれぞれの位置にランプを設け、前記カードの増減時に外部から入力される制御信号により増減設する前記カードに対応する位置の前記ランプを点灯しその位置を表示する複数の表示ランプ部を備えることを特徴とするカードプラグイン実装方式の電子装置。
【請求項２】
前記表示ランプ部は、前記カードの増設時のおいては、点灯中の前記ランプの位置に前記カードを挿入した時に挿入された前記カードから読み出される識別情報と前記制御信号に含まれる対応する識別情報とを照合し一致するか否かを判定し一致する場合は前記ランプの点灯をし続け一致しない場合は前記ランプを消灯する、また前記カードの減設時のおいては、対応する前記カードを抜去した時に点灯中の前記ランプを消灯させるカード識別手段を備えることを特徴とする請求項１記載のカードプラグイン実装方式の電子装置。
【請求項３】
前記表示ランプ部は、装置の通常動作時において、実装状態にある前記カード側からアラーム信号を受信した時は対応する前記ランプを点滅させるランプ点滅手段を備えることを特徴とする請求項１或いは２記載のカードプラグイン実装方式の電子装置。
【請求項４】
カードの増減設時において、外部から入力される増減設単位となるカードの組み合わせを示すカード増減設オーダ情報を入力し、先ずこの入力されたカード増減設オーダ情報自身が正しいか否かを判断し、正しくない場合は誤り応答信号を外部へ返信し、正しい場合は内部で情報処理して該当する前記ランプ表示部へ前記制御信号を出力するランプ表示制御部を備えることを特徴とする請求項１、２或いは３記載のカードプラグイン実装方式の電子装置。
【請求項５】
複数のカードをプラグイン実装するシェルフをラックに複数段積み重ねる構造の電子装置において、
各前記シェルフの上部に設けられ、前記シェルフにプラグイン実装される各前記カードの実装位置に対応する位置に設けられたランプと、前記カードの増減時に外部から制御信号を入力し増減設する前記カードに対応する位置の前記ランプへ点灯信号を出力するランプ点灯回路と、前記カードの増設時においては点灯中の前記ランプの位置に前記カードを挿入した時に挿入された前記カードから識別情報を読み出しこの識別情報と前記制御信号に含まれる対応する識別情報とを照合し一致するか否かを判定し一致する場合は実装完了信号を出力し一致しない場合は前記点灯信号の送出を停止させ、また前記カードの減設時においては点灯中の前記ランプの位置にある前記カードを抜去した時に前記点灯信号の送出を停止させるカード識別回路と、実装状態にある前記カード側からアラーム信号を受信した時は対応する前記ランプを点滅させる点滅信号を出力するランプ点滅回路とを有する複数のランプ表示部を備えることを特徴とするカードプラグイン実装方式の電子装置。
【請求項６】
予め決められた増減設単位となるカードの組み合わせを複数組記憶するカード組み合わせデータ記憶部と、ラックに実装される全前記カードの実装位置をそのカードの識別情報を付加して示すカード実装位置データ記憶部と、前記ランプ表示部の出力する前記実装完了信号を入力して生成される実際に装置に実装されている状態の前記カードの実装位置を示すカード実装状態データ記憶部と、外部から増減設単位となるカードの組み合わせを示すカード増減設オーダ情報を入力して先ず前記カード組み合わせデータ記憶部を参照しこの入力されたカード増減設オーダ情報が示すカード組み合わせが正しいか否かを判定し正しくない場合は誤り応答信号を外部へ返信し、正しい場合は前記カード実装位置データ記憶部とカード実装状態データ記憶部とをそれぞれ参照し演算処理して該当する前記ランプ表示部へ前記制御信号を出力するＣＰＵと、前記ＣＰＵが演算処理するために必要なプログラムを格納する実行プログラムとを有するランプ表示制御部を備えることを特徴とする請求項５記載のカードプラグイン実装方式の電子装置。
【発明の詳細な説明】
【０００１】
【発明の属する技術分野】
本発明はカードプラグイン実装方式の電子装置に関し、特にカードを増減設する時に増減設するカードを誤実装してしまうことを防止するための機能を有するカードプラグイン実装方式の電子装置に関する。
【０００２】
【従来の技術】
この種の電子装置、例えば通信装置などは、システム運用から回線構成の変更などがあると、実装するカードを増設或いは減設する必要が生じる。この場合カードはプラグイン実装方式であるので、容易に増減設することは可能である。しかしながら、この増減設の工事は人手で行うので誤実装が発生する場合がある。即ち、増減設するカードの実装位置の誤り、或いは増減設するカード自身の誤りなどが発生する。この誤実装が発生すると、誤実装した時は気がつかないので、そのまま工事を進め最終の検査工程でなどで発見されることがある。そしてこの誤実装を正して再び工事、検査をやり直すことになるので、極めて作業効率が悪くなってしまうという問題がある。
【０００３】
この問題を改善する電子装置の従来例を図５に示す。図５は従来例のパッケージ誤挿入検出回路部分を示す回路図である。
【０００４】
この従来例は情報処理装置に関するもので、複数のパッケージ（カードに相当）５５をケージ（シェルフに相当）内のスロットに実装し、ケージ内のバックボード５３とコネクタ５２ａ、５４ａを介して接続する情報処理装置において、バックボード５３側に設けられパッケージ５５を識別するＩＤ番号を各々のパッケージについて設定するＩＤ設定回路５６と、パッケージ５５側に設けられＩＤ番号が予め定められたＩＤ番号と一致するか否かを判定するＩＤ判定回路５９と、ＩＤ判定回路５９の判定結果を表示する表示ランプ５１と、各回路に電源を供給する補助電源５７とで構成されている。
【０００５】
次に本従来例の動作に付いて説明する。バックボード５３側に設けられたＩＤ設定回路５６によって、各スロット毎に各々固有のＩＤを設定する。スロットに実装されたパッケージ５５上では、ＩＤ判定回路５９がＩＤ設定回路５６からのＩＤ信号５８によりパッケージ５５が決められたスロットに実装されたかをＩＤ判定し、スロットの位置が正しければ点灯信号５８を出力して表示ランプ５１を点灯する。このようにしてパッケージ５５の実装位置を確認して誤実装を防止する。（例えば、特許文献１参照。）
次に他の従来例を図６に示す。図６は他の従来例の（ａ）構成図、（ｂ）実装斜視図である。本従来例はＡＴＭ（Ａｓｙｎｃｈｒｏｎｏｕｓ  Ｔｒａｎｓｆｅｒ  Ｍｏｄｅ）交換機の例でパッケージの増設時などの作業時間を短縮することを目的とするものである。
【０００６】
図６（ａ）において、対応する回線に接続され信号のフォーマット変換などを行う複数の回線ＩＦ部６１と、回線側からのセルを多重化すると同時にスイッチ側からの多重セルを分離する集線分離部６２と、多重セルを各セルに付加されているルーチング情報（タグ情報）に基ずいて所定の方路にスイッチングするセルスイッチ部６３と、集線分離部６２、セルスイッチ部６３を制御するシステム制御部６４と、システム制御部６４に保守情報入出力する保守端末６５とで基本的に構成される。尚、システム制御部６４はプロセッサ（ＣＰＵ）６４ａ、主記憶装置（ＭＭ）６４（ｂ）を備えている。
【０００７】
以上の構成に加え本従来例は、集線分離部６２などの増設パッケージに着脱可能な構造で、システム全体の制御を行うプロセッサ６４ａのソフトプログラム、およびパッケージに搭載されたファームウエアに対し増設処理時に必要な手順データを含む管理データが記憶された装置制御キット６９と、装置制御キット６９が装着された時にこのキットから必要なデータが読み出され、増設時に必要なソフトプログラムおよびファームウエアの変更、転送、及び増設後の診断、試験などを自動的に行うように監視、制御するための搭載監視装置６８とが付加されている。
【０００８】
図６（ｂ）は装置全体の構造概略を示す実装斜視図である。フレームＦＲにはシェルフＳＩＦが３段積層されている。各シェルフＳＩＦには複数のパッケージＰＫＧがプラグイン実装されている。回線ＩＦ部６１、集線分離部６２、セルスイッチ部６３は、このパッケージＰＫＧにそれぞれ実装されている。共通の制御部であるシステム制御部６４はラック最上部に実装されている。装置制御キット６９は増設されたパッケジの前面のジャックに装着される。搭載監視装置６８は別構造体でシステム制御部と接続される。
【０００９】
従来、パッケージの増設時においては、先ず、プロセッサ６４ａのソフトウエアを変更、これをパッケージのファームウエアに転送、そして増設パッケージの実装位置を示す局データを入力し、診断、試験を行って異常がなければ運用を開始する。この一連の作業を保守者が行っていたが、本従来例はこの作業に必要な管理データを記憶する装置制御キット６９を増設パッケージに装着し、搭載監視装置６８の監視、制御のもとに一連の作業を自動的に行うことにより、保守者の作業時間を短縮するものである。
【００１０】
従って、パッケージの実装位置を誤った場合は、自動化された一連の作業のなかで短時間でその誤りが検出され異常として表示されるので、その時はパッケージを正しい位置に実装し直すことができる。〔例えば、特許文献２参照〕
【特許文献１】
特開平４−２２３５８０号公報（第１−２頁）
【特許文献２】
特開平１１−２０５３１６号公報（第１−２頁）
【００１１】
【発明が解決しようとする課題】
上述した従来例の前者では、増設パッケージの挿入位置を図面上で調べてからパッケージを挿入し、パッケージに設けられたランプの点灯で挿入位置を確認しているので、増設パッケージの挿入位置を図面上で調べなければならず面倒である。また、挿入位置を図面上で見誤った場合は、ランプが点灯しないので誤挿入を知るが、再び図面を見て挿入しなおす面倒な作業が必要になるという問題点がある。
【００１２】
また、従来例の後者では、パッケージの増設時に必要なソフトウエアなどの変更処理、診断、検査の一連の増設処理作業を自動的に行っているので、パッケージを誤挿入した時、その誤りが自動的に行われる増設処理作業のなかで直ちにわかるので、その時はパッケージを正しい位置に再挿入すれば良い。しかし、パッケージを挿入する時は再び図面を見て挿入位置を調べねばならず面倒であり、また相当高価な装置制御キット、搭載監視装置などが必要になり装置全体のコストが高くなるという問題点がある。
【００１３】
本発明の目的は、カード（パッケージに相当）の増減設時に完全にカードを誤挿入することがなく、かつ増減設の作業が効率的に行え、更にこのために要する付加装置が簡単であるカードプラグイン実装方式の電子装置を提供することにある。
【００１４】
【課題を解決するための手段】
本発明のカードプラグイン実装方式の電子装置は、複数のカードをプラグイン実装するシェルフをラック（架）に複数段積み重ねる構造の電子装置において、各前記シェルフの上部に設けられ、前記シェルフにプラグイン実装される各前記カードの実装位置に対応するそれぞれの位置にランプを設け、前記カードの増減時に外部から入力される制御信号により増減設する前記カードに対応する位置の前記ランプを点灯しその位置を表示する複数の表示ランプ部を備えている。
【００１５】
前記表示ランプ部は、前記カードの増設時のおいては、点灯中の前記ランプの位置に前記カードを挿入した時に挿入された前記カードから読み出される識別情報と前記制御信号に含まれる対応する識別情報とを照合し一致するか否かを判定し一致する場合は前記ランプの点灯をし続け一致しない場合は前記ランプを消灯する、また前記カードの減設時のおいては、対応する前記カードを抜去した時に点灯中の前記ランプを消灯させるカード識別手段を備えるようにしても良い。
【００１６】
また、前記表示ランプ部は、装置の通常動作時において、実装状態にある前記カード側からアラーム信号を受信した時は対応する前記ランプを点滅させるランプ点滅手段を備えるようにしても良い。
【００１７】
また、この電子装置は、カードの増減設時において、外部から入力される増減設単位となるカードの組み合わせを示すカード増減設オーダ情報を入力し、先ずこの入力されたカード増減設オーダ情報自身が正しいか否かを判断し、正しくない場合は誤り応答信号を外部へ返信し、正しい場合は内部で情報処理して該当する前記ランプ表示部へ前記制御信号を出力するランプ表示制御部を備えるようにしても良い。
【００１８】
更に具体的に本発明のカードプラグイン実装方式の電子装置は、複数のカードをプラグイン実装するシェルフをラックに複数段積み重ねる構造の電子装置において、
各前記シェルフの上部に設けられ、前記シェルフにプラグイン実装される各前記カードの実装位置に対応する位置に設けられたランプと、前記カードの増減時に外部から制御信号を入力し増減設する前記カードに対応する位置の前記ランプへ点灯信号を出力するランプ点灯回路と、前記カードの増設時のおいては点灯中の前記ランプの位置に前記カードを挿入した時に挿入された前記カードから識別情報を読み出しこの識別情報と前記制御信号に含まれる対応する識別情報とを照合し一致するか否かを判定し一致する場合は実装完了信号を出力し一致しない場合は前記点灯信号の送出を停止させ、また前記カードの減設時のおいては点灯中の前記ランプの位置にある前記カードを抜去した時に前記点灯信号の送出を停止させるカード識別回路と、実装状態にある前記カード側からアラーム信号を受信した時は対応する前記ランプを点滅させる点滅信号を出力するランプ点滅回路とを有する複数のランプ表示部を備えて構成する。
【００１９】
また、この電子装置は、予め決められた増減設単位となるカードの組み合わせを複数組記憶するカード組み合わせデータ記憶部と、ラックに実装される全前記カードの実装位置をそのカードの識別情報を付加して示すカード実装位置データ記憶部と、前記ランプ表示部の出力する前記実装完了信号を入力して生成される実際に装置に実装されている状態の前記カードの実装位置を示すカード実装状態データ記憶部と、外部から増減設単位となるカードの組み合わせを示すカード増減設オーダ情報を入力して先ず前記カード組み合わせデータ記憶部を参照しこの入力されたカード増減設オーダ情報が示すカード組み合わせが正しいか否かを判定し正しくない場合は誤り応答信号を外部へ返信し、正しい場合は前記カード実装位置データ記憶部とカード実装状態データ記憶部とをそれぞれ参照し演算処理して該当する前記ランプ表示部へ前記制御信号を出力するＣＰＵと、前記ＣＰＵが演算処理するために必要なプログラムを格納する実行プログラムとを有するランプ表示制御部を備えて構成しても良い。
【００２０】
【発明の実施の形態】
次に本発明の実施の形態について図面を参照して説明する。
【００２１】
図１は本発明の実施の形態例のＡＴＭスイッチ装置の回路構成を示すブロック図、図２は図１に示すＡＴＭスイッチ装置の前面実装図、図３は図２に示すランプ表示部とシェルフとの詳細を示す部分構造図、図４は図１に示す表示制御部とランプ表示部との回路構成を示すブロック図である。
【００２２】
本発明の実施の形態例は、ＡＴＭスイッチ装置の例について以下説明する。ＡＴＭスイッチ装置は、各回線からのセルをセルに付加されたルーチング情報により所定の回線にスイッチしそれぞれ送り出す機能を有するものである。この種のＡＴＭスイッチ装置は、システムの拡張あるいは変更、またトラフィックの変動などの要因により、既設の装置に対しカードの増設、減設（カードを抜去すること）、或いは変更の工事を行うことが多々ある。尚、カードの増設、減設、或いは変更をここではカードの増減設という。
【００２３】
先ず、図１を参照して全体の構成について説明する。主回路を構成するスイッチ制御部（ＳＷＣ）１１，スイッチ部（ＳＷ）１２ａ〜１２ｅ、回線カード部（ＬＩＦ）１３ａ〜１３ｅは一つの機能ブロックを構成し、ＳＷＣ１１は、機能制御ブロックに相当し、内部にＣＰＵが設けられ、そのソフトウエアとのオーダ送受信のための上位バスインタフェース部と、ＳＷ１２を制御するための下位バスインタフェース部と、回線インタフエース部とを有する。ＳＷ１２、ＬＩＦ１３はサブ機能ブロックに相当し、それぞれセルの方路を切り替えるスイッチ、回線との信号フォーマットの変換などを行う回線インタフェース部を有する。
【００２４】
このＳＷＣ１１，ＳＷ１２、ＬＩＦ１３は、一つの機能ブロックを構成しているので、これが増減設時の単位となる。例えば、ＳＷ１２のカードが３枚、ＬＩＦ１３のカードが２枚、都合５枚のカードが増減設の単位となるといった具合である。
【００２５】
以上説明した主回路に加えて、本発明の特徴点である増減設するカードの位置を示すランプ表示部２と、上位バスからの増減設オーダ情報を入力し、ランプ表示部２の対応するランプを点灯するための制御を行う表示制御部３とを備えている。
図２、３を参照して構造について説明する。図２に示すように本装置は、ラック１０に複数のカードをプラグイン実装するシェルフ１ａ〜１ｃを３段積み重ねて実装し、各シェルフの上部にそれぞれランプ表示部２ａ〜２ｃを実装し、ラックの最上部に表示制御部３、また最下部に各部に電源を供給するＰＵ４とを実装する。
【００２６】
図３に示すように各シェルフ１には、ＳＷＣ１１，ＳＷ１２、ＬＩＦ１３，ＢＡＳＥＤＰ，の各カードがプラグイン実装されている。そして各シェルフ１の上部には各カードの挿入位置に対応した位置に設けられたランプ２１を有するランプ表示部２が設けられている。図では黒で塗りつぶしたＳＷ１２ｃ〜ＳＷ１２ｅのカードが３枚、ＬＩＦ１３ｄとＬＩＦ１３ｅのカードが２枚、都合５枚のカードが増設される場合を示す。尚、ＳＷＣ１１，ＳＷ１２、ＬＩＦ１３などは、１枚の回路基板に回路を構成する複数の電子部品が搭載された構造で、以降の説明ではに各々を単にカードと呼称する。
【００２７】
次に、図４を参照してランプ表示部２とこれに制御バスで接続された表示制御部３とについて詳細な構成を説明する。
【００２８】
ランプ表示部２は、シェルフ１にプラグイン実装される各カードの実装位置に対応する位置に設けられたランプ２１と、カードの増減時に外部から制御信号１０３を入力し増減設する前記カードに対応する位置のランプ２１へ点灯信号１０７を出力するランプ点灯回路２２と、
カードの増設時のおいては、点灯中のランプ２１の位置にカードを挿入した時に挿入されたカードからＩＤ番号１０６を読み出し、このＩＤ番号１０６と制御信号１０３に含まれる対応するＩＤ番号とを照合し、一致するか否かを判定し、一致する場合はランプ点灯回路２２を介して実装完了信号１０４を出力し、一致しない場合は点灯信号１０７の送出を停止させ、或いはカードの減設時のおいては、点灯中のランプ２１の位置にあるカードを抜去した時に点灯信号１０７の送出を停止させるＩＤ照合回路２３と、
実装状態にあるカード側からアラーム信号１０５を受信した時は対応するランプ２１を点滅させる点滅信号１０８を出力する点滅回路２４とで構成する。
【００２９】
尚、ＩＤ照合回路２３と点滅回路２４とは、カード側に対応するＩＤ記億部、アラーム回路を有する場合に機能する。
【００３０】
また、表示制御部３は、予め決められた増減設単位となるカードの組み合わせを複数組記憶するカード組み合わせデータ記憶部３１と、ラック１０に実装される全カードの実装位置をそのカードの識別（ＩＤ）情報を付加して示すカード実装位置データ記憶部３２と、ランプ表示部２からの実装完了信号１０４を入力して生成される実際に装置に実装されているカードの実装位置を示すカード実装状態データ記憶部３３と、
外部から増減設単位となるカードの組み合わせを示す増減設オーダ情報１０１を入力して、先ずカード組み合わせデータ記憶部３１を参照し、この入力された増減設オーダ情報１０１が示すカードの組み合わせが正しいか否かを判定し、正しくない場合は誤り応答信号１０２を外部へ返信し、正しい場合はカード実装位置データ記憶部３２とカード実装状態データ記憶部３３とをそれぞれ参照し演算処理して該当するランプ表示部２へ送受信回路３６を介して制御信号１０３を出力するＣＰＵ３４と、
ＣＰＵ３４の制御信号をフォーマット変換する送受信回路３６と、ＣＰＵ３４が演算処理を実行するに必要なプログラムを格納する実行プログラム３５とで構成されている。
【００３１】
続いて図４を参照してランプ表示部２と表示制御部３との詳細な動作について説明する。カードの増減設時においては、先ず、保守者が必要なカードの組み合わせを調べ、この結果を保守端末（図示せず）から増減設オーダ情報１０１として表示制御部３へ入力する。表示制御部３において、カード組み合わせデータ記憶部３１、カード実装位置データ記憶部３２、カード実装状態データ記憶部３３には予め必要なデータがそれぞれ入力されており、この増減設オーダ情報１０１を入力して、ＣＰＵ３４が増減設オーダ情報１０１に示された増減設するカードの組み合わせが、カード組み合わせデータ記憶部３１に記憶されているものの中にあるか探し、「ない」場合は増減設オーダ情報１０１の指定に誤りがあると判定し、保守端末側に誤り応答信号１０２を送出する。この誤り応答信号１０２により増減設作業の初期段階の誤りを摘出することができる。
【００３２】
また、「ある」場合は正しいと判定し、カード実装位置データ記憶部３２、カード実装状態データ記憶部３３のデータを参照し、その増減設する各カードの実装位置情報とこれに付加されたＩＤ番号とを含む制御信号１０３を送受信回路３６を介してランプ表示部２側に送出する。
【００３３】
ランプ表示部２において、ランプ点灯回路２２がこの制御信号１０３を入力し、実装位置情報からその実装位置に対応する位置にある各ランプ２１へ点灯信号１０７を送出する。これにより増減設するカードの挿入位置のランプ２１が点灯し、カードの挿入位置を誤ることがなくなる。また、同時にＩＤ番号をＩＤ照合回路２３へ送出する。
【００３４】
ＩＤ照合回路２３は、増設時において、点灯中のランプ２１の位置にカードが挿入されると挿入されたカードからそのカードのＩＤ番号を読み出し、制御信号に含まれる識別番号と照合して一致するか否かを判定し、一致する場合はそのままランプの点灯を続け、一致しない場合はランプ２１へ送出中の点灯信号１０７を停止する。これによりランプ２１が消灯するので、誤った指定のカードを挿入したことに直ちに気がつく。
【００３５】
また、カードの減設時のおいて、ランプ２１が点灯している位置のカードを抜去した時に送出中のランプの点灯信号１０７を停止する。これによりランプ２１が消灯するので、カードの抜去を確認できると同時に次のカードの再挿入に備える。
【００３６】
点滅回路２４は、装置の通常動作時において、稼動中のカードが故障しアラーム信号１０５を発した時、これを入力し対応するランプ２１へ点滅信号１０８を送りこれをを点滅させる。これにより故障したカードの位置が直ちにわかる。
【００３７】
【発明の効果】
以上説明したように本発明のカードプラグイン実装方式の電子装置は、シェルフにプラグイン実装される各カードの実装位置に対応するそれぞれの位置にランプを設け、カードの増減時に増減設するカードに対応する位置のランプを点灯しその位置を表示するようにしているので、カードの実装位置を誤ることがないという効果がある。
【００３８】
また、同時にカード側にＩＤ番号の記憶機能を設けておけば、実装したカードのＩＤ番号を読み取り確認し、カードを間違った場合はランプは消灯するので、直ちにカード自身の誤りに気がつくことができるという効果がある。また、カード側からのアラーム信号を接続しておけば、前記ランプが点滅するので、そのカードの故障位置が直ちにわかるという効果がある。
【００３９】
更に、増減設作業の初期段階において、増減設するカードの組み合わせを調べこれを増減設オーダ情報として入力すると、先ず、増減設オーダ情報に示されたカードの組み合わせが正しいか否かを判定し、誤りがあれば誤り応答信号を返すようにしているので、増減設作業の初期段階の誤りを摘出することができ、以降の無駄な作業の発生を防止できるという効果がある。また、カードの組み合わせが正しい場合は、前述したように増減設するカードに対応する位置のランプを点灯するが、この動作を自動的に行っているので、正確にかつ早く行うことができるという効果がある。
【００４０】
更に、以上の効果を得るための付加装置が、ランプ表示部と表示制御部のみという比較的簡単な装置で済むという効果がある。
【図面の簡単な説明】
【図１】本発明の実施の形態例のＡＴＭスイッチ装置の回路構成を示すブロック図である。
【図２】図１に示すＡＴＭスイッチ装置の前面実装図である。
【図３】図２に示すランプ表示部とシェルフとの詳細な構成を示す部分構造図である。
【図４】図１に示す表示制御部とランプ表示部との回路構成を示すブロック図である。
【図５】従来例のパッケージ誤挿入検出回路部分を示す回路図である。
【図６】他の従来例の（ａ）構成図、（ｂ）ラック実装斜視図である。
【符号の説明】
１    シェルフ
２    ランプ表示部
３    表示制御部
４    ＰＵ
１０    ラック
１１    ＳＷＣ（カード）
１２    ＳＷ（カード）
１３    ＬＩＦ（カード）
２１    ランプ
２２    ランプ点灯回路
２３    ＩＤ照合回路
２４    点滅回路
３１    カード組み合わせデータ記憶部
３２    カード実装位置データ記憶部
３３    カード実装状態データ記憶部
３４    ＣＰＵ
３５    実行プログラム
３６    送受信回路
【図１】
2004349967.tif 000003
【図２】
2004349967.tif 000004
【図３】
2004349967.tif 000005
【図４】
2004349967.tif 000006
【図５】
2004349967.tif 000007
【図６】
2004349967.tif 000008